(57)【要約】【課題】構築時間を短縮することができるとともに、水槽内の水の流出を抑制することができる、コンクリート製水槽及びコンクリート製水槽の構築方法を提供する。【解決手段】コンクリート壁によって囲まれた貯水可能な空間を有する水槽部１１と、水槽部１１の出入口を構成するマンホール部１２と、水槽部１１の内面に沿って形成された防水層２と、防水層２の内側に水槽部１１の内部を埋めるように構築された格子状構造体３と、を備え、格子状構造体３は、水槽部１１の側壁１１ａ及び天井１１ｂとの間に一定の隙間Δgx1, Δgx2, Δgy1, Δgy2, Δgzを有するように配置されている。【選択図】図１
2015183418.tif 000002
【特許請求の範囲】
【請求項１】
貯水可能な空間を有する水槽部と、該水槽部の出入口を構成するマンホール部と、を備えた水槽において、
前記水槽部の内面に沿って形成された防水層と、
該防水層の内側に前記水槽部の内部を埋めるように構築された格子状構造体と、を備え、
前記格子状構造体は、前記水槽部の側壁及び天井との間に一定の隙間を有するように配置されている、
ことを特徴とする水槽。
【請求項２】
前記格子状構造体の外周に配置され前記隙間の大きさを調整するための隙間調整部材を有する、ことを特徴とする請求項１に記載の水槽。
【請求項３】
前記隙間調整部材は、板材、フレーム構造体、伸縮可能なロッド部材又はこれらの組み合わせにより構成されている、ことを特徴とする請求項２に記載の水槽。
【請求項４】
前記防水層は、前記水槽部の内面に貼り付けられる防水シートである、ことを特徴とする請求項１〜３の何れか一項に記載の水槽。
【請求項５】
前記格子状構造体は、略平板形状の基板と該基板に立設される複数の脚部とを有する樹脂ブロックを複数組み合わせて形成される、ことを特徴とする請求項１〜４の何れか一項に記載の水槽。
【請求項６】
貯水可能な空間を有する水槽部と、該水槽部の出入口を構成するマンホール部と、を備えた水槽の構築方法であって、
前記水槽部の内面に沿って防水層を形成する防水工程と、
前記防水層の内側に前記水槽部の内部を埋めるように、かつ、前記水槽部の側壁及び天井との間に一定の隙間を有するように格子状構造体を構築する骨格形成工程と、を有し、
前記水槽部の内部に前記防水層及び前記格子状構造体により構成される内部水槽を構築する、
ことを特徴とする水槽の構築方法。
【請求項７】
前記隙間の大きさを調整するための隙間調整部材を前記格子状構造体の外周に配置する隙間調整工程を有する、ことを特徴とする請求項６に記載の水槽の構築方法。
【発明の詳細な説明】
【技術分野】
【０００１】
本発明は、水槽及び水槽の構築方法に関し、特に、既設の水槽の再利用に適した水槽及び水槽の構築方法に関する。
【背景技術】
【０００２】
市街地等では消火栓が使用できなくなった場合や災害時に飲料水が不足した場合に備えて、地上や地下にコンクリート製水槽が設置されていることが多い。火災が発生した際に、その被害を最小限に留めるために最低限の消化活動に必要な量の水を蓄えておくための水槽は、一般に防火水槽と呼ばれている。また、地震等の大規模災害時に飲料水が不足する場合に備えて、飲料用兼消化活動用として水を蓄えておく水槽は、一般に貯水槽と呼ばれている。本明細書において、「水槽」とは、少なくとも防火水槽及び貯水槽の両方を含むものとする。
【０００３】
コンクリート製水槽は、大気、雨水、地中の水分等に長い年月に亘って晒されたり、コンクリート内に埋設された鉄筋に腐食が生じたりすることによって劣化することが知られており、補修や改修が必要となる。また、近年では、大地震に備えてコンクリート製水槽の耐震性能を向上させるために補強したいという要求もある。
【０００４】
例えば、特許文献１には、地中に埋設された水槽部と、該水槽部に連通し、地上に開口するマンホール部とを備えた地下防火水槽の補強方法において、基板と脚体とからなる枠体ユニットを多数準備し、該枠体ユニットを水槽部の底壁に敷き並べるとともに水槽部の天井壁近傍まで積み上げ、天井壁と最上段の枠体ユニットとの隙間に充填材を介在さて、天井壁を枠体ユニットと充填材とで支持することを特徴とする地下防火水槽の補強方法が開示されている。
【先行技術文献】
【特許文献】
【０００５】
【特許文献１】特許第４７９５１２０号公報
【発明の概要】
【発明が解決しようとする課題】
【０００６】
上述した特許文献１に記載された補強方法では、枠体ユニットと防火水槽の側壁と天井壁との隙間に充填材を介在させていることから、構築時の作業が困難であり、構築時間が長期化してしまうという問題があった。また、特許文献１に記載された方法では、既存の防火水槽を補強しているに過ぎないことから、防火水槽の壁面及び充填材に亀裂が生じた場合には、防火水槽内の水が外部に流出してしまうという問題もあった。
【０００７】
本発明は、上述した問題点に鑑み創案されたものであり、構築時間を短縮することができるとともに、水槽内の水の流出を抑制することができる、水槽及び水槽の構築方法を提供することを目的とする。
【課題を解決するための手段】
【０００８】
本発明によれば、貯水可能な空間を有する水槽部と、該水槽部の出入口を構成するマンホール部と、を備えた水槽において、前記水槽部の内面に沿って形成された防水層と、該防水層の内側に前記水槽部の内部を埋めるように構築された格子状構造体と、を備え、前記格子状構造体は、前記水槽部の側壁及び天井との間に一定の隙間を有するように配置されている、ことを特徴とする水槽が提供される。
【０００９】
前記水槽は、前記格子状構造体の外周に配置され前記隙間の大きさを調整するための隙間調整部材を有していてもよい。前記隙間調整部材は、例えば、板材、フレーム構造体、伸縮可能なロッド部材又はこれらの組み合わせにより構成される。
【００１０】
前記防水層は、例えば、前記水槽部の内面に貼り付けられる防止シートである。また、前記格子状構造体は、例えば、略平板形状の基板と該基板に立設される複数の脚部とを有する樹脂ブロックを複数組み合わせて形成される。
【００１１】
また、本発明によれば、貯水可能な空間を有する水槽部と、該水槽部の出入口を構成するマンホール部と、を備えた水槽の構築方法であって、前記水槽部の内面に沿って防水層を形成する防水工程と、前記防水層の内側に前記水槽部の内部を埋めるように、かつ、前記水槽部の側壁及び天井との間に一定の隙間を有するように格子状構造体を構築する骨格形成工程と、を有し、前記水槽部の内部に前記防水層及び前記格子状構造体により構成される内部水槽を構築する、ことを特徴とする水槽の構築方法が提供される。
【００１２】
前記水槽の構築方法は、前記隙間の大きさを調整するための隙間調整部材を前記格子状構造体の外周に配置する隙間調整工程を有していてもよい。
【発明の効果】
【００１３】
上述した本発明に係る水槽及び水槽の構築方法によれば、例えば、コンクリート製、金属製、樹脂製等の水槽（外部水槽）の内部に防水層及び格子状構造体を配置したことにより、補修や改修したい外部水槽の内部に新たな水槽（内部水槽）を形成することができる。したがって、外部水槽の劣化や地震等によって外部水槽の壁面に亀裂が生じた場合であっても内部水槽によって水の流出を抑制することができる。また、内部水槽と外部水槽との間に充填材を配置していないことから、内部水槽構築時における作業労力を軽減し、構築時間を短縮することができる。
【００１４】
また、外部水槽の壁面と格子状構造体との間に一定の隙間を形成することにより、地震等により外部水槽がこの隙間以上に歪んだ場合には、外部水槽に負荷される荷重を格子状構造体に伝達することができ、外部水槽周辺地盤の沈下や変状を抑制することができる。さらに、歪みによる空間の縮小を抑制し、計画した貯水量を確保することもできる。
【図面の簡単な説明】
【００１５】
【図１】本発明の第一実施形態に係るコンクリート製水槽を示す図であり、（Ａ）は縦断面図、（Ｂ）は図１（Ａ）におけるＢ−Ｂ矢視断面図、である。
【図２】格子状構造体に関する説明図であり、（Ａ）は樹脂ブロックの斜視図、（Ｂ）は樹脂ブロックを組み合わせた状態を示す斜視図、である。
【図３】本発明の第二実施形態に係るコンクリート製水槽を示す図であり、（Ａ）は縦断面図、（Ｂ）は図３（Ａ）におけるＢ−Ｂ矢視断面図、である。
【図４】本発明の実施形態に係るコンクリート製水槽の構築方法を示す縦断面図であり、（Ａ）は構築前の状態、（Ｂ）は防水工程、を示している。
【図５】本発明の実施形態に係るコンクリート製水槽の構築方法を示す縦断面図であり、（Ａ）は骨格形成工程、（Ｂ）は隙間調整工程、を示している。
【発明を実施するための形態】
【００１６】
以下、本発明に係る水槽及び水槽の構築方法の実施形態について、図１〜図５を用いて説明する。ここで、図１は、本発明の第一実施形態に係るコンクリート製水槽を示す図であり、（Ａ）は縦断面図、（Ｂ）は図１（Ａ）におけるＢ−Ｂ矢視断面図、である。図２は、格子状構造体に関する説明図であり、（Ａ）は樹脂ブロックの斜視図、（Ｂ）は樹脂ブロックを組み合わせた状態を示す斜視図、である。図３は、本発明の第二実施形態に係るコンクリート製水槽を示す図であり、（Ａ）は縦断面図、（Ｂ）は図３（Ａ）におけるＢ−Ｂ矢視断面図、である。
【００１７】
本発明の実施形態に係るコンクリート製水槽１は、図１（Ａ）及び（Ｂ）に示したように、コンクリート壁によって囲まれた貯水可能な空間を有する水槽部１１と、水槽部１１の出入口を構成するマンホール部１２と、水槽部１１の内面に沿って形成された防水層２と、防水層２の内側に水槽部１１の内部を埋めるように構築された格子状構造体３と、を備え、格子状構造体３は、水槽部１１の側壁１１ａ及び天井１１ｂとの間に一定の隙間Δgx1, Δgx2, Δgy1, Δgy2, Δgzを有するように配置されている。
【００１８】
コンクリート製水槽１は、例えば、地下や地上に配置された防火水槽や貯水槽であり、消火用又は飲料用の水を蓄えておくための水槽である。コンクリートは、造形の自由度が高い、耐火性が高い、圧縮に強い、耐久性に優れる、質量が大きい等の特徴を有し、設置型の防火水槽や貯水槽によく利用されている。コンクリート製水槽１には、水密性（水の浸入や透過に対する抵抗性）が要求されることから、いわゆる水密コンクリートにより造形される。なお、本実施形態では水槽の一例としてコンクリート製水槽１を使用した場合について説明しているが、外部水槽を形成する水槽は、金属製や樹脂製であってもよい。
【００１９】
水槽部１１は、一般に略直方体形状を有しているが、円筒形状や球形状であってもよい。マンホール部１２は、メンテナンス等のために作業員が水槽部１１内に出入りするための出入口である。コンクリート製水槽１が地下に設置される場合には、マンホール部１２は地表に到達するまで延設される。また、マンホール部１２から水槽部１１の内部に亘って梯子１３が配置される。
【００２０】
防水層２は、例えば、塩化ビニル、加硫ゴム、ＥＶＡ（エチレン−酢酸ビニル共重合樹脂）等をそれぞれ主成分とする樹脂製の防水シートにより形成される。防水層２は、水槽部１１の内面に貼り付けられていることが好ましい。例えば、防水層２を形成する防水シートは、接着剤により貼り付けるようにしてもよいし、スタッドピンやリベット等の金具を用いて貼り付けるようにしてもよい。このとき、防水シートの全面を水槽部１１の内面に貼り付けるようにしてもよいし、一部のみを水槽部１１の内面に貼り付けるようにしてもよい。なお、防水シートは、水槽部１１の内面に近接した位置に配置することができれば、必ずしも貼り付けておく必要はない。
【００２１】
このように、防水層２を形成する防水シートを水槽部１１の内面に貼り付けることにより、水槽部１１内で最大の体積を有する袋体を容易に形成することができる。なお、防水層２は、防水シートに限定されるものではなく、例えば、塗装、防水材、コンクリート、鋼材等により形成するようにしてもよい。
【００２２】
格子状構造体３は、防水層２により形成される空間を立体的に保持する骨格を形成する。特に、防水層２を防水シートで形成した場合には、格子状構造体３を防水層２の内側に配置することにより、防水シートが水槽部１１の内面から剥がれ落ちた場合であっても、略直方体の水槽形状を保持することができる。ここで、「格子状」とは、全体として縦材と横材により構成される構造体を意味し、必要に応じて斜材や板材を含んでいてもよい趣旨である。なお、格子状構造体３は、例えば、樹脂製であってもよいし、木製であってもよいし、金属製であってもよい。
【００２３】
格子状構造体３は、例えば、図２（Ａ）に示したように、略平板形状の基板３１と基板３１に立設される複数の脚部３２とを有する樹脂ブロック３３を複数組み合わせて形成される。基板３１及び脚部３２は、例えば、略格子状に形成された樹脂製の平面や曲面によって形成される。脚部３２は、基板３１に脱着可能に形成されていてもよい。なお、図示した樹脂ブロック３３の形状は、単なる一例であり、図示した形状に限定されるものではない。
【００２４】
図２（Ｂ）に示したように、一対の樹脂ブロック３３は、互いの脚部３２を突き合わせて接続されユニット化される。このユニット化により略格子状を有するベースユニット３４が形成される。このベースユニット３４を水平方向及び鉛直方向に複数配置することにより、図１（Ａ）及び（Ｂ）に示したような格子状構造体３が形成される。また、格子状構造体３の外周に樹脂製の側壁３５を接続することにより、格子状構造体３の荷重に抵抗する部位に荷重を伝達させることができる。
【００２５】
上述した樹脂ブロック３３を使用することにより、図１（Ａ）及び（Ｂ）に示したように、水槽部１１の内部に格子状構造体３を敷き詰めた場合であっても、欠損空間を８％程度に抑えることができる。したがって、本実施形態を採用した場合であっても貯水量の低下を抑制することができる。
【００２６】
また、図１（Ａ）に示したように、格子状構造体３の下に底板３６を配置するようにしてもよい。底板３６は、例えば、水槽部１１の底面に形成された防水層２の上に配置され、格子状構造体３を構築するための安定した平面を形成する。底板３６は、防水層２の内側に配置される場合には、欠損空間の増加を抑制するために、略格子状に形成された樹脂製の平板により形成されることが好ましい。なお、底板３６は、防水層２の外側に配置するようにしてもよいが、この場合、底板３６の体積分だけ内部水槽の貯水量が低下することとなる。
【００２７】
格子状構造体３は、水槽部１１の側壁１１ａ及び天井１１ｂに近接するように構築される。また、マンホール部１２の下方は、作業員が通過できるように空間を確保しておく必要がある。そこで、マンホール部１２の下方には、略円柱形状に形成された枠組１４が構築される。
【００２８】
また、図１（Ａ）及び（Ｂ）に示したように、本実施形態に係るコンクリート製水槽１は、格子状構造体３の外周に配置され隙間の大きさを調整するための隙間調整部材４を有している。格子状構造体３の角部は、例えば、マンホール部１２から、最も遠い角部に位置決めされ、そこからマンホール部１２に向かって組み立てられる。したがって、格子状構造体３は、位置決めされた水槽部１１の角部を形成する二つの側壁１１ａに対して、Ｘ方向に隙間Δgx1を有し、Ｙ方向に隙間Δgy1を有している。
【００２９】
そして、格子状構造体３を水槽部１１内に構築した場合に、隙間Δgx1及び隙間Δgy1と反対側の隙間が大きすぎる場合がある。格子状構造体３は、防水層２により形成される内部水槽の骨格を形成するものであることから、できるだけ防水層２に近接した位置まで構築されていることが好ましい。
【００３０】
そこで、格子状構造体３と水槽部１１の内面との隙間が大きい場合には、格子状構造体３の外周に隙間の大きさを調整するための隙間調整部材４を配置するようにしてもよい。隙間調整部材４は、例えば、板材、フレーム構造体、伸縮可能なロッド部材又はこれらの組み合わせにより構成される。板材及びフレーム構造体は、樹脂製又は金属製であり、格子状又はトラス状に構成されたものであり、隙間を微調整する場合に板材を用い、比較的大きな隙間を調整する場合にフレーム構造体を用いることができる。
【００３１】
また、ジャッキ装置のような伸縮可能なロッド部材を有する機器を用いた場合には、ロッド部材の長さを個別に調整することにより、格子状構造体３と水槽部１１の内面との隙間の大きさを調整することができる。マンホール部１２に近いＸ方向の側壁１１ａと格子状構造体３との間には、枠組１４及び格子状構造体３の外周に板材又はフレーム構造体により構成される隙間調整部材４が配置され、その表面に伸縮可能なロッド部材を有する隙間調整部材４が配置され、隙間Δgx2に調整されている。
【００３２】
また、マンホール部１２に近いＹ方向の側壁１１ａと格子状構造体３との間には、枠組１４及び格子状構造体３の外周に板材又はフレーム構造体により構成される隙間調整部材４（板状調整部材４１）が配置され、その表面に伸縮可能なロッド部材を有する隙間調整部材４（ジャッキ状調整部材４２）が配置され、隙間Δgy2に調整されている。なお、板状調整部材４１は、ジャッキ状調整部材４２を配置する平面を形成する部材としても機能している。
【００３３】
Ｘ方向の隙間Δgx1, Δgx2及びＹ方向の隙間Δgy1, Δgy2は、例えば、地震等によりコンクリート製水槽１が歪んだ場合であっても、隙間Δgx1, Δgx2，Δgy1, Δgy2以上の空間は格子状構造体３が荷重を分担することから、歪みによる空間の縮小を抑制することができ、周辺地盤の沈下や変状を抑制することができる。したがって、これらの隙間Δgx1, Δgx2, Δgy1, Δgy2は、コンクリート製水槽１の大きさ、コンクリートの厚さ、配置場所（地域、地下、地上等）、配置環境（土壌の性質等）等の条件によって適宜変更される。
【００３４】
また、図１（Ａ）及び（Ｂ）に示したように、ジャッキ状調整部材４２を水槽部１１の側壁１１ａに対峙する位置に配置する場合には、格子状構造体３を構成するベースユニット３４の連結部に沿って配置することが好ましい。かかる配置によって、隙間調整部材４に荷重が負荷された場合であっても、格子状構造体３の強度が高い部分で受け止めることができる。なお、隙間Δgzは、コンクリート製水槽１の大きさ、コンクリートの厚さ、配置場所（地域、地下、地上等）、配置環境（土壌の性質等）等の条件によって適宜変更される。
【００３５】
また、図１（Ａ）に示したように、天井１１ｂと格子状構造体３との間には、格子状構造体３の上面に配置されるジャッキ状調整部材４２と、その上に配置される板状調整部材４１とにより構成される隙間調整部材４が配置され、隙間Δgzに調整されている。格子状構造体３の上面には、コンクリート製水槽１との隙間Δgzに応じてジャッキ状調整部材４２を直接配置するようにしてもよい。板状調整部材４１は、例えば、天井１１ｂのコンクリートの一部が欠けて落下した場合にコンクリート片を受け止めて、格子状構造体３上への落下を抑制する機能を有している。なお、ジャッキ状調整部材４２と板状調整部材４１との配置は入れ替えるようにしてもよい。
【００３６】
また、格子状構造体３の上面にジャッキ状調整部材４２を配置する場合には、格子状構造体３の脚部３２上に配置することが好ましい。かかる配置によって、隙間調整部材４に荷重が負荷された場合であっても、格子状構造体３の強度が高い部分で受け止めることができる。
【００３７】
なお、格子状構造体３を構築した際に、枠組１４との間に隙間生じた場合には、その隙間を埋める充填材５を配置するようにしてもよい。充填材５は、例えば、板材又はフレーム構造体により構成される。板材及びフレーム構造体は、樹脂製又は金属製であり、格子状又はトラス状に構成されたものであり、隙間を微調整する場合に板材を用い、比較的大きな隙間を調整する場合にフレーム構造体を用いることができる。かかる充填材５を配置することにより、枠組１４に作用する地震等による変形や荷重を格子状構造体３に伝達することができ、耐震性を向上させることができる。
【００３８】
ここで、図３（Ａ）及び（Ｂ）は、本発明の第二実施形態に係るコンクリート製水槽１を示している。かかる第二実施形態に係るコンクリート製水槽１は、隙間調整部材４を板材又はフレーム構造体により構成される隙間調整部材４（板状調整部材４１）によって構成したものである。このように、隙間調整部材４は、調整したい隙間の大きさに合わせて構成や組み合わせを適宜変更することができる。
【００３９】
上述した第一実施形態及び第二実施形態に係るコンクリート製水槽１によれば、コンクリート製水槽１の内部に防水層２及び格子状構造体３を配置したことにより、補修や改修したいコンクリート製水槽１の内部に新たな水槽（内部水槽）を形成することができる。したがって、コンクリートの劣化や地震等によってコンクリート製水槽１の壁面に亀裂が生じた場合であっても内部水槽によって水の流出を抑制することができる。また、内部水槽と外部水槽（コンクリート製水槽１）との間に充填材を配置していないことから、内部水槽構築時における作業労力を軽減し、構築時間を短縮することができる。
【００４０】
また、コンクリート製水槽１の壁面（側壁１１ａ及び天井１１ｂ）と格子状構造体３との間に一定の隙間Δgx1, Δgx2, Δgy1, Δgy2, Δgzを形成することにより、地震等によりコンクリート製水槽１が隙間Δgx1, Δgx2, Δgy1, Δgy2, Δgz以上に歪んだ場合には、外部水槽（コンクリート製水槽１）に負荷される荷重を格子状構造体３に伝達することができ、外部水槽周辺地盤の沈下や変状を抑制することができる。さらに、歪みによる空間の縮小を抑制し、計画した貯水量を確保することもできる。
【００４１】
次に、本発明の実施形態に係るコンクリート製水槽１の構築方法について、図４及び図５を参照しつつ説明する。ここで、図４は、本発明の実施形態に係るコンクリート製水槽の構築方法を示す縦断面図であり、（Ａ）は構築前の状態、（Ｂ）は防水工程、を示している。図５は、本発明の実施形態に係るコンクリート製水槽の構築方法を示す縦断面図であり、（Ａ）は骨格形成工程、（Ｂ）は隙間調整工程、を示している。
【００４２】
本実施形態に係るコンクリート製水槽１の構築方法は、コンクリート壁によって囲まれた貯水可能な空間を有する水槽部１１と、水槽部１１の出入口を構成するマンホール部１２と、を備えたコンクリート製水槽１の構築方法であって、水槽部１１の内面に沿って防水層２を形成する防水工程と、防水層２の内側に水槽部１１の内部を埋めるように、かつ、水槽部１１の側壁１１ａ及び天井１１ｂとの間に一定の隙間を有するように格子状構造体３を構築する骨格形成工程と、隙間の大きさを調整するための隙間調整部材４を格子状構造体３の外周に配置する隙間調整工程と、を有し、水槽部１１の内部に防水層２及び格子状構造体３により構成される内部水槽を構築するようにしたものである。
【００４３】
図４（Ａ）に示したように、コンクリート製水槽１は、通常の防火水槽や貯水槽と同様に、水槽部１１、マンホール部１２、梯子１３等を有している。このコンクリート製水槽１は、既設の防火水槽や貯水槽であってもよいし、新設の防火水槽や貯水槽であってもよい。
【００４４】
防水工程は、図４（Ｂ）に示したように、例えば、水槽部１１の内面全面（マンホール部１２の下方は除く）に防水層２を形成する防水シートを貼り付ける工程である。防水シートは、接着剤や金具によって水槽部１１の内面に貼り付けられる。このように、防水シートを水槽部１１の内面に貼り付ける（固定する）ことにより、容易に防水層２を形成することができるとともに、格子状構造体３の搬入や組立等の以後の作業を容易に行うことができる。
【００４５】
骨格形成工程は、図５（Ａ）に示したように、水槽部１１内に図２（Ａ）に示した樹脂ブロック３３を搬入し、図２（Ｂ）に示したベースユニット３４を組み立て、このベースユニット３４を水平方向及び鉛直方向に複数配置することにより格子状構造体３を構築する。かかる骨格形成工程において、格子状構造体３を構築する前に、底板３６及び枠組１４を敷設しておくことが好ましい。また、格子状構造体３と枠組１４との隙間が空いている場合には充填材５を配置するようにしてもよい。
【００４６】
かかる骨格形成工程において、格子状構造体３は水槽部１１の内面と接触しないように構築される。また、格子状構造体３の角部は、例えば、マンホール部１２から、最も遠い水槽部１１の角部に位置決めされ、そこからマンホール部１２に向かって水槽部１１内を埋めるように構築される。
【００４７】
隙間調整工程は、図５（Ｂ）に示したように、格子状構造体３の外周に、板状調整部材４１やジャッキ状調整部材４２により構成される隙間調整部材４を配置して、水槽部１１との隙間を調整する工程である。このように、コンクリート製水槽１の壁面（側壁１１ａ及び天井１１ｂ）と格子状構造体３との間に一定の隙間を形成することにより、地震等によりコンクリート製水槽１がこの隙間以上に歪んだ場合には、外部水槽（コンクリート製水槽１）に負荷される荷重を格子状構造体３に伝達することができ、外部水槽周辺地盤の沈下や変状を抑制することができる。さらに、歪みによる空間の縮小を抑制し、計画した貯水量を確保することもできる。
【００４８】
また、本実施形態に係るコンクリート製水槽１の構築方法によれば、コンクリート製水槽１の内部に防水層２及び格子状構造体３を配置したことにより、補修や改修したいコンクリート製水槽１の内部に新たな水槽（内部水槽）を形成することができる。したがって、コンクリートの劣化や地震等によってコンクリート製水槽１の壁面に亀裂が生じた場合であっても内部水槽によって水の流出を抑制することができる。
【００４９】
なお、骨格形成工程により、格子状構造体３を構築した結果、水槽部１１の内面との隙間を調整する必要がない場合には、隙間調整工程を省略することができる。
【００５０】
本発明は上述した実施形態に限定されず、例えば、充填材５、ベースユニット３４、側壁３５、板状調整部材４１に同一の樹脂製の壁材を使用してもよい等、本発明の趣旨を逸脱しない範囲で種々変更が可能であることは勿論である。
【符号の説明】
【００５１】
１  コンクリート製水槽
２  防水層
３  格子状構造体
４  隙間調整部材
５  充填材
１１  水槽部
１１ａ  側壁
１１ｂ  天井
１２  マンホール部
１３  梯子
１４  枠組
３１  基板
３２  脚部
３３  樹脂ブロック
３４  ベースユニット
３５  側壁
３６  底板
４１  板状調整部材
４２  ジャッキ状調整部材
【図１】
2015183418.tif 000003
【図２】
2015183418.tif 000004
【図３】
2015183418.tif 000005
【図４】
2015183418.tif 000006
【図５】
2015183418.tif 000007